(57)【特許請求の範囲】
【請求項１】
音響再生装置の出力であるＬｔ用音声信号およびＲｔ用音声信号をＬ用音声信号、Ｒ用音声信号、Ｃ用音声信号およびＳ用音声信号にデコ−ドするデコ−ド手段と、
前記デコ−ド手段の出力であるＣ用音声信号を音波として出力するＣＲＴ下部に配置したＣ用スピ−カと、
前記デコ−ド手段の出力であるＬ用音声信号，Ｒ用音声信号およびＳ用音声信号に基いて得られるＬｓ用音声信号を音波として出力するＣＲＴ下部に配置したＬ用スピ−カと、
前記デコ−ド手段の出力であるＬ用音声信号，Ｒ用音声信号およびＳ用音声信号に基いて得られるＲｓ用音声信号を音波として出力するＣＲＴ下部に配置したＲ用スピ−カと、
を有し、
前記Ｃ用スピ−カ、Ｌ用スピ−カ、Ｒ用スピ−カの少なくとも何れかは
ＣＲＴ下部に配置した第１のスピ−カと、
前記第１のスピ−カの前面に配置した第１の音導管と、
前記第１の音導管に接続しＣＲＴ下部に配置した第２の音導管と、
接続した前記第１の音導管と前記第２の音導管とで構成される音導管の内部に下向きまたは上向きに傾けて配置した４ｋＨｚ以上の音を強調再生する第２のスピ−カと、
を備えることを特徴とするテレビジョン受像機。
【発明の詳細な説明】
【０００１】
【発明の属する技術分野】
本発明は、テレビジョン受像機、ディスプレイ装置等の音声信号再生装置に関する。
【０００２】
【従来の技術】
最近、ＤＶＤに象徴されるように、大容量のサラウンド音声信号を再生可能とする音声再生装置が登場し、ホ−ムシアタ−サラウンド音声再生が要望されている。その必要性はテレビジョン受像機等においても同様である。
【０００３】
ホ−ムシアタ−サラウンド音声再生装置として例えば、特開平１０−１９１２０３号公報が提案されている。特開平１０−１９１２０３号公報では、Ｌ（左）、Ｒ（右）、Ｓ（サラウンド）用のスピ−カとして、それぞれテレビジョン受像機内蔵とは別に外部スピ−カを準備し、テレビジョン受像機内蔵のＬ，Ｒのスピ−カにはＣ（センタ）信号を入力してセンタスピ−カとして使用することを提案している。
【０００４】
【発明が解決しようとする課題】
しかしながら、特開平１０−１９１２０３号公報ではテレビジョン受像機内蔵のスピ−カはセンタスピ−カとして機能させるので、それ以外にも外付けのＬ，Ｒ用スピ−カとＳ用のスピ−カが必要となる。
また、センタスピ−カとしてセット内蔵Ｌ、Ｒスピ−カを使用した場合には音像が左右に広がって、画面センタに定位することが困難である。このことからもテレビジョン受像機のみで完結してサラウンド音声を楽しめ、かつ正確な音像定位を実現するような提案が切望されていた。
【０００５】
本発明のテレビジョン受像機は上記課題を解決し、テレビジョン受像機に内蔵したスピ−カのみで、正確に音像定位したサラウンドを楽しめるようにすることを目的とする。
【０００６】
【課題を解決するための手段】
音響再生装置のＬ（左），Ｒ（右），Ｃ（センタ），Ｓ（サラウンド）信号をエンコ−ドし２チャンネル音声信号Ｌｔ，Ｒｔを形成するとともに，該２チャンネル音声信号Ｌｔ，Ｒｔを音声信号Ｌ，Ｒ、Ｃ、Ｓにデコ−ドする手段と、前記デコ−ドしたＣ信号を増幅器を介しＣ用スピ−カに接続する手段と、頭部伝達関数付加手段，加減算器，位相器を有する音像定位作成手段により前記デコ−ドしたＬ，Ｒ，Ｓ信号から２チャンネル音声信号Ｌｓ，Ｒｓを形成する手段と、前記２チャンネル音声信号Ｌｓ，Ｒｓを増幅器を介しＬ用，Ｒ用それぞれのスピ−カに接続する手段とを備えたことを特徴とするテレビジョン受像機とした。
【０００７】
また、Ｌ用、Ｒ用、Ｃ用のスピ−カを、テレビジョン受像機を構成するＣＲＴ下部の同一平面上に配置した。
さらに、第１のスピ−カ前面に配置した音導管と，ＣＲＴ下部に配置した音導管とを接続し、前記接続した音導管内部に４ｋＨｚ以上の音を強調再生する手段を有する第２のスピ−カを配置し、前記第２のスピ−カを音導管内で下向きまたは上向きに傾けることで音を反射させ音像を変化させられるようにした。
【０００８】
上記構成により外部スピ−カを用いることなく、テレビジョン受像機に内蔵したスピ−カのみで、正確に音像定位したサラウンドを楽しめる。
【０００９】
【発明の実施の形態】
以下、本発明の実施の形態におけるテレビジョン受像機について、図面を用いて説明する。
【００１０】
（実施の形態１）
図１は本発明の実施の形態１におけるテレビジョン受像機のプロック構成図を示す。図１において、符号１は音響再生装置、２はデコ−ド手段、３は頭部伝達関数付加手段、４は位相器、５は音像定位作成手段、６はＬ用増幅器、７はＣ用増幅器、８はＲ用増幅器、９はＬ用スピ−カ、１０はＣ用スピ−カ、１１はＲ用スピ−カ、１２はＣＲＴを示す。
【００１１】
次に図１の動作をたとえば、音響再生装置１が２ＣＨの音声出力である場合について説明する。
音響再生装置１から出力される２ＣＨの音声信号Ｌｔ、Ｒｔはデコ−ド手段２によりＬ、Ｒ、Ｓ、Ｃ成分の信号にそれぞれデコ−ドされる。本発明ではＣ信号はそのままＣ用増幅器７を通してＣ用スピ−カ１０によって出力させる。Ｃ用スピ−カ１０はＣＲＴ１２の中央下部に固定されており、このことでセンタの音像は画面中央に確実に定位する。
Ｌ、Ｒ、Ｓのそれぞれの信号は頭部伝達関数付加手段３に送られる。頭部伝達関数付加手段３によってＳ成分を加工してＬ，Ｒ成分と加減算処理をほどこすことで２ＣＨ信号Ｌｈ、Ｒｈに変換する。さらに、位相器４により広がり感を調節する。こうして作成されたＬｓ，Ｒｓ信号はＬ用増幅器６、Ｒ用増幅器８を通じて、Ｌ用スピ−カ９、Ｒ用スピ−カ１１によって出力される。
かかる構成によれば、Ｃ用スピ−カからはＣ成分のみの信号が出力されるため、あたかも画面中央から音が聞こえてくる音像が得られる。Ｌ用スピ−カ９、Ｒ用スピ−カ１１からはＣ成分を除いたＬ、Ｒ、Ｓの成分を頭部伝達関数付加手段３で加工した信号により、あたかも後方にＳ成分を定位させることができる。Ｃ用スピ−カ１０、Ｌ用スピ−カ９、Ｒ用スピ−カ１１は同一平面上に位置させることにより、より確実な定位制御を可能とする。
（実施の形態２）
本発明の実施の形態２におけるテレビジョン受像機について、図２，３，４を用いて説明する。
【００１２】
図２，図３はそれぞれ本発明の実施の形態２におけるテレビジョン受像機を側面方向から見た要部断面図、図４は本発明の実施の形態２におけるテレビジョン受像機の要部断面図である。図２〜図４において、符号１２はＣＲＴ、１３はキャビネット、１３ａはキャビネット音導部、１４はホ−ン、１５は第一のスピ−カ、１６は第二のスピ−カ、１７は吸音材、１８はリブ、１９はバックカバ−を示す。
【００１３】
図２〜図４に示すように、ＣＲＴ１２の下部にはキャビネット１３に形成された音導部１３ａに第一のスピ−カ１５を固定したホ−ン１４が接続されている。第一のスピ−カのマグネット部分には吸音材１７がはめこまれており、リブ１８によって脱落を防止している。吸音材１７は第一のスピ−カ１５の背面からの音を吸収するため前面のＬ、Ｒの音像定位は向上する。
さらに、ホ−ン内部１４には第二のスピ−カ１６を斜め下向きに装着されている。第二のスピ−カ１６は４ｋＨｚ以上の周波数を強調して出力できるツイ−タである。第二のスピ−カ１６を斜め下向きに装着することで、キャビネット音導部１３ａで反射した音が斜め上向きに前面放射される。該構成により音像を上に上げることができる。
なお、キャビネット音孔部１３ｂの状態によっては、図３に示すように、第二のスピ−カ１６を斜め上向きに装着しても効果がある。
【００１４】
【発明の効果】
このように本発明のテレビジョン受像機によれば、テレビジョン受像機のみで完結してサラウンドを楽しめ、かつ正しい音像定位を得られる。
【図面の簡単な説明】
【図１】本発明の実施の形態１におけるテレビジョン受像機のブロック構成図
【図２】本発明の実施の形態２におけるテレビジョン受像機の要部断面図
【図３】本発明の実施の形態２におけるテレビジョン受像機の要部断面図
【図４】本発明の実施の形態２におけるテレビジョン受像機の要部断面図
【符号の説明】
１  音響再生装置
２  デコ−ド手段
３  頭部伝達関数付加手段
４  位相器
５  音像定位作成手段
６  Ｌ用増幅器
７  Ｃ用増幅器
８  Ｒ用増幅器
９  Ｌ用スピ−カ
１０  Ｃ用スピ−カ
１１  Ｒ用スピ−カ
１２  ＣＲＴ
１３  キャビネット
１３ａ キャビネット音導部
１４  ホ−ン
１５  第一のスピ−カ
１６  第二のスピ−カ
１７  吸音材
１８  リブ
１９  バックカバ−
【図１】
0004314727.tif 000002
【図２】
0004314727.tif 000003
【図３】
0004314727.tif 000004
【図４】
0004314727.tif 000005